(57)【要約】【課題】発光面に膨らみ部がある発光指針であっても、発光ムラの発生を抑制することが可能な発光指針を提供する。【解決手段】発光面１４および反射部１５を有する指示部８と受光部１７および基部反射面１８を有する基部９とからなる指針本体１０と、基部９の前方側を覆う指針キャップとを備えた発光指針４において、反射部１５は反射層１６を有すると共に長手方向に沿った中程が発光面１４側に湾曲しており、発光面１４は前方側に湾曲した膨らみ部２２を有している。【選択図】図３
2008275405.tif 000002
【特許請求の範囲】
【請求項１】
発光面および反射部を有する指示部と受光部および基部反射面を有する基部とからなる指針本体と、前記基部の前方側を覆う指針キャップとを備えた発光指針において、前記反射部は反射層を有すると共に長手方向に沿った中程が前記発光面側に湾曲しており、前記発光面は前方側に湾曲した膨らみ部を有していることを特徴とする発光指針。
【請求項２】
前記反射部は滑らかに結ばれていることを特徴とする請求項１に記載の発光指針。
【発明の詳細な説明】
【技術分野】
【０００１】
本発明は、例えば車両用計器に用いられる発光指針に関するものである。
【背景技術】
【０００２】
発光指針を計器に用いた例として、例えば特開平７−２９４２９３号公報がある。この発光指針は、発光指針の後方に配置された発光素子２９からの光を指針２６の受光部３５から入射させ、反射部３６で反射させて指示部３３の先端側に光を導いて指示部３３の表面（発光面）を一様に発光させるというものである。
【特許文献１】特開平７−２９４２９３号公報
【発明の開示】
【発明が解決しようとする課題】
【０００３】
発光指針は、通常は特許文献１に記載されている様に、反射部３６側から指示部３３の先端側に向かうに従って徐々に先細り形状となっている。従って、反射部３６で反射して指示部３３側に向かった光は指示部３３の裏面で乱反射して指示部３３が均一に発光するようになっている。しかしながら、近年は様々なデザインが要求される。例えば、指示部の表面（発光面）が前方側（視認者側）に膨らんでいる場合は、指示部の長手方向に沿った厚みが徐々に変化していないために特に膨らみ部から指示部の先端側にかけての箇所の発光輝度が低下しやすく、指針全体が均一に発光せず発光ムラが生じやすい。
【０００４】
本発明はこの様な点に鑑みなされたもので、発光面に膨らみ部がある発光指針であっても、発光ムラの発生を抑制することが可能な発光指針を提供することを目的とする。
【課題を解決するための手段】
【０００５】
本発明は前記目的を達成するため、発光面および反射部を有する指示部と受光部および基部反射面を有する基部とからなる指針本体と、前記基部の前方側を覆う指針キャップとを備えた発光指針において、前記反射部は反射層を有すると共に長手方向に沿った中程が前記発光面側に湾曲しており、前記発光面は前方側に湾曲した膨らみ部を有しているものである。
【０００６】
また、前記反射部は滑らかに結ばれているものである。
【発明の効果】
【０００７】
発光面に膨らみ部がある発光指針であっても、発光ムラの発生を抑制することが可能な発光指針を得ることができる。
【発明を実施するための最良の形態】
【０００８】
本発明を車両用計器に用いられる発光指針を実施形態として説明する。図１は、発光指針が適用された計器の部分断面図である。図２は指針本体の正面図であり、図３は指針本体の側面図である。
【０００９】
計器は、硬質な回路基板１と、この回路基板１の裏面側に回路基板１と導通状態で装着され、回路基板１を貫通して前方に延びる回動軸２を有する計器本体３と、回動軸２に固着された発光指針４と、この発光指針４の背後に配置された表示板５と、回動軸２周囲の回路基板１上に実装され発光指針４を照明する光源としての指針用発光ダイオード６と、この指針用発光ダイオード６を囲むように表示板５と回路基板１との間に配置された円形の筒部７とを備えている。
【００１０】
発光指針４は、指示部８と基部９とからなる指針本体１０と、この指針本体１０の基部９後方に配置された指針台座１１と、指針台座１１の前方側および周囲を覆うように配置された指針キャップ１２と、バランサー１３とを備えている。
【００１１】
指針本体１０は、アクリル，ポリカーボネート等の光透過性である（例えば無色透明な）合成樹脂からなり、指示部８と指針キャップ１２に覆われる基部９とに大別される。指示部８は前方側（視認者側）に発光面１４を有し、裏面側（表示板５側）には反射部１５を有している。この反射部１５には、例えば赤色と白色の２層からなる箔が発光面１４側が赤色となるようにホットスタンプされることによって反射層１６が形成されている。
【００１２】
基部９は、指針用発光ダイオード６からの光が入射される受光部１７と、この受光部１７に対応した基部反射面１８と、指示部８と直交する方向に設けられた２個の突出片１９を有している。突出片１９には指針台座１１との位置決めとなる２個の丸孔２０が設けてある。
【００１３】
指示部８の反射部１５は、長手方向に沿った中程が発光面１４側に湾曲した湾曲部２１を有している。即ち図３に示す様に、湾曲部２１は基部反射面１８の受光部１７側と指示部８の先端とを結ぶ線上（図３に於いて破線Ｌ１で示す）よりも発光面１４側に湾曲した箇所であり、湾曲部２１の頂点Ｐは指示部８のほぼ中程となっている。そして、湾曲部２１の反射部１５箇所と湾曲部２１以外の反射部１５箇所とは滑らかな曲面で結ばれている。また、発光面１４は前方側（視認者側）に湾曲した膨らみ部２２を有している。即ち図３に示す様に、膨らみ部２２は基部反射面１８の上側と指示部８の先端とを結ぶ線上（図３に於いて破線Ｌ２で示す）よりも前方側（視認者側）に湾曲した箇所を有するものである。
【００１４】
指針キャップ１２は、非透過性である（例えば黒色の）合成樹脂からなるほぼ円形の逆カップ状であり、天壁２３の一部には発光面１４が露出するように天壁スリット（図示せず）が設けてある。また、周壁２４の指示部８側にも側壁スリット２５が連設されており、この天壁スリットと側壁スリット２５から指示部８が導出されている。また、図示しないが周壁２４の内側には指針台座１１を指針キャップ１２に係着するための係止突起（所謂フック）が２個設けてある。
【００１５】
指針台座１１は、例えば黒色の合成樹脂からなり、略円板状の台座部２６と、この台座部２６中心の裏面側に突設した取付部２７と、指針本体１０の突出片１９に設けられた２個の丸孔２０に挿入される２個の丸ボス（図示せず）とを有し、台座部２６には受光部１７が指針用発光ダイオード６に臨む開口穴２８が設けてある。
【００１６】
バランサー１３は、発光指針４のバランスを取るもので、比重の高い黄銅や亜鉛などの金属系の材料からなる。このバランサー１３は、指針本体１０の指示部８とは反対側の指針キャップ１２内に収納されている。
【００１７】
本実施形態に於ける発光指針４の組み付け方法について説明する。先ず、指針本体１０の突出片１９に設けられた丸孔２０に指針台座１１の台座部２６に設けられた丸ボスを挿入して、指針本体１０と指針台座１１とを位置決めすると共に仮固定する。次に、指針キャップ１２を逆さにした状態で指針キャップ１２内にバランサー１３を収納し、指針本体１０が仮固定された指針台座１１を指針キャップ１２内の開口側から押し込む。すると、天壁スリットおよび側壁スリット２５から指針本体１０の指示部８が導出した状態で、指針キャップ１２の周壁２４に設けられた２個の係止突起（図示せず）が台座部２６周縁の後面に係止されて指針台座１１が指針キャップ１２内に係着（配置）される。
【００１８】
この発光指針４は、指針台座１１の取付部２７を計器本体３の回動軸２の先端側に圧入することによって計器本体３に固着される。そして、所定の計測量に応じて発光指針４が回動し、指示部８が表示板５に施された表示部（図示せず）を指し示すようになっている。
【００１９】
この様に構成された発光指針４に於いては、指示部８の発光面１４は反射層１６によって赤色で視認される。また、受光部１７の下方に配設された例えば赤色で発光する指針用発光ダイオード６が点灯した際も、指示部８の発光面１４は赤色で視認されるようになっている。即ち、受光部１７から入射した指針用発光ダイオード６からの光は基部反射面１８で反射して反射部１５に向かう。ここで、反射部１５には湾曲部２１が設けてあるために、基部反射面１８で反射した光は湾曲部２１の頂点より基部９側にかけての反射部１５を直射するようになる。反射部１５には反射層１６が設けてあるために、基部９側の湾曲部２１の反射層１６で反射した光は発光面１４側に向かい、発光面１４が赤色で発光する（照明される）ようになる。
【００２０】
また、発光面１４に向かった光の一部は発光面１４で反射して反射部１５側に向かい、再び反射層１６に反射して発光面１４側に向かう。この様に、湾曲部２１の頂点より指示部８の先端側は発光面１４と反射層１６との間で反射を繰り返しながら進んだ光によって発光面１４が赤色で発光する（照明される）ようになる。
【００２１】
また、基部９寄りの発光面１４と反射層１６との間は先端側に比べて距離があるとともに、基部９側の反射層１６で反射した光が発光面１４側に向かいにくいが、基部反射面１８に近い箇所であるために基部９側の反射層１６で乱反射した強い光によって、発光面１４は指示部８の先端側および中央側の発光面１４と同等の輝度で発光するようになる。
【００２２】
この様に、指示部８の反射部１５は反射層１６を有すると共に、長手方向に沿った中程が発光面１４側に湾曲した湾曲部２１を有しており、発光面１４は前方側に湾曲した膨らみ部２２を有している発光指針であることで、発光面１４に膨らみ部２２がある発光指針であっても、発光面１４に於ける発光ムラの発生を抑制することができ、発光面１４全体をバランス良く発光（照明）させることができる。
【００２３】
また、湾曲部２１の反射部１５箇所と湾曲部２１以外の反射部１５箇所とは滑らかな曲面で結んであるために、反射部１５全面に反射層１６を均一にホットスタンプすることができる。従って、光を反射層１６で効率良く反射させることが可能となり、発光面１４全体をバランス良く発光（照明）させる効果がある。
【００２４】
なお、反射層１６は赤色と白色の２層箔に限定するものではなく、例えば赤色の箔或いは白色の箔の何れかであっても良い。また、反射層１６は光を発光面１４側に反射させるようになっていれば良く、ホットスタンプに限らず、例えば印刷であっても良い。
【図面の簡単な説明】
【００２５】
【図１】本発明の実施形態を示す発光指針が適用された計器の部分断面図。
【図２】同実施形態を示す指針本体の正面図。
【図３】同実施形態を示す指針本体の側面図。
【符号の説明】
【００２６】
４  発光指針
８  指示部
９  基部
１０  指針本体
１２  指針キャップ
１４  発光面
１５  反射部
１６  反射層
１７  受光部
１８  基部反射面
２１  湾曲部
２２  膨らみ部
【図１】
2008275405.tif 000003
【図２】
2008275405.tif 000004
【図３】
2008275405.tif 000005